(57)【要約】【課題】  スポンサー提供のセミナーは、セミナー講師にとってスポンサーの特定商品やサービス等に偏ったセミナー内容となり、独立性や自主性を確保することが困難であった。また、スポンサーは、セミナー内容の調整等で時間がかかり、タイムリーなセミナー開催に支障をきたすことがあった。  セミナー講師が、独立性を確保したセミナーを公開でき、かつ、スポンサーがセミナー内容を確認の上、スポンサー契約を申込むことができるスポンサー申込支援システムを提供すること。【解決手段】  セミナー講師が事前にセミナー内容を作成後、一般への公開前にスポンサーに開放し、スポンサーがこのセミナー内容を自社製品やサービスとの整合性、宣伝効果を検討した上で、スポンサー契約申込みが行える。また、セミナー講師は、複数のスポンサー契約申込中からスポンサー契約金額や契約期間等の好条件のスポンサーを選択し、スポンサー契約を締結することができる。【選択図】図１
2008210124.tif 000002
【特許請求の範囲】
【請求項１】
サーバ側からのインターネットを介してセミナーを公開するインターネット・セミナーのスポンサー受付方法において、セミナー講師の氏名やセミナー内容等を登録するセミナー登録手段と、スポンサーの氏名や広告内容等を登録するスポンサー登録手段と、セミナー内容、講師氏名、資格、経歴、セミナー評価等が検索できるセミナー検索手段と、スポンサーや一般利用者がセミナー内容を受講できるセミナー公開手段と、セミナーに対するアンケートや質問を登録するコミュニケーション手段を備え、セミナー登録手段によりセミナーをスポンサー受付状態に設定し、インターネット上でセミナーを公開することで、スポンサーからのスポンサー契約申込みを受付けることを特徴とするスポンサー申込支援システム。
【請求項２】
セミナー登録手段によりセミナーを一般公開状態に設定しインターネット上でセミナーを公開することで、インターネット上の一般利用者がセミナー受講できることを特徴とする請求項１に記載のスポンサー申込支援システム。
【請求項３】
セミナー登録手段によりスポンサー受付状態と一般公開状態の設定をコントロールすることで、セミナーの一般公開の前にスポンサー契約の申込を受付することや一般公開中にスポンサー契約の申込を受付可能にすることを特徴とする請求項１に記載のスポンサー申込支援システム。
【請求項４】
前記スポンサー登録手段によりスポンサー業者の登録を行い、登録されたスポンサー業者に対し、セミナー検索手段によりスポンサー受付状態中のセミナーの概要、スポンサー受付の期間、一般公開の期間、セミナー講師の過去のセミナー評価等の検索を行わせ、セミナー公開手段によりスポンサー受付状態のセミナー内容を視聴させることを特徴とする請求項１に記載のスポンサー申込支援システム。
【請求項５】
スポンサー契約申込の受付は、スポンサー登録手段によりスポンサーがスポンサー契約金額、スポンサー期間等を登録することで行われ、スポンサー受付状態中であれば複数のスポンサーからスポンサー契約受付を可能とし、セミナー講師は複数スポンサーのスポンサー契約金額やスポンサー契約期間等から好条件のスポンサー契約を選択し単独または複数のスポンサー契約締結を登録することができることを特徴とする請求項１に記載のスポンサー申込支援システム。
【請求項６】
前記のコミュニケーション手段は、セミナー受講者からのセミナーアンケート結果の収集、セミナー講師に対しセミナー内容の質問や業務依頼打診等の仲介処理を行い、セミナーアンケート結果情報等を蓄積し、スポンサーに対しセミナー講師の評価基礎情報を提供することを特徴とする請求項１に記載のスポンサー申込支援システム。
【発明の詳細な説明】
【技術分野】
【０００１】
本発明は、インターネットを介してセミナーを公開するインターネット・セミナーにおけるスポンサー契約申込に関し、特に、スポンサーが作成済みのセミナー内容を確認の上でインターネットを利用してスポンサー申込をするスポンサー申込支援方法に関する。
【背景技術】
【０００２】
従来より、弁護士や医師等の職業的専門人等のセミナー講師は、自己宣伝や問題解決の概要の説明目的等でインターネット・セミナーを開催することは知られている。
しかし、特定スポンサーから特定商品やサービス宣伝を目的に依頼されるインターネット・セミナーは、セミナー講師にとってセミナー講師の自主性が損なわれることや特定商品やサービスに偏ったセミナー内容になることが嫌われる傾向にある。次に、スポンサー提供が付かない無料インターネット・セミナーは、セミナー講師にとって、投資効果に対する費用の負担が大きい。
そのため、職業的専門人等のセミナー講師は、特定スポンサーからのセミナー依頼を手控えることや自主セミナーを諦める状況にあった
【０００３】
従来、スポンサーは、宣伝広告の一環として、販売する商品や提供するサービスに関係する講演会やセミナーを職業的専門人等のセミナー講師に依頼していた。
しかし、スポンサーにとって、セミナー講師を人選することや特定商品等の関りをどの程度セミナー内容に組入れるか等のセミナー内容の事前打合せをセミナー講師と調整することに時間がかかり負担となっていた。
そのため、スポンサーは、タイムリーなセミナーを開催できない状況やスポンサー提供セミナーを諦める状況があった。
【０００４】
従来、セミナー受講者は、特定スポンサー提供の直接的な特定商品やサービスが宣伝されたインターネット・セミナーを受講するか、有料のセミナーを受講していた。
しかし、セミナー受講者にとって、無料のインターネット・セミナーは、特定商品やサービスの解説が中心となった内容であるため、本来の目的である問題解決の方法や考え方、知識の習得等が困難となっていた。
そのため、セミナー受講者は、スポンサー提供のインターネット・セミナーを避ける傾向があった。
【発明の開示】
【発明が解決しようとする課題】
【０００５】
しかしながら、セミナー講師が自己宣伝や問題解決の概要説明等の目的のためにインターネット上でセミナーを公開する為には、セミナー内容をセミナー講師の独立性や自主性を確保した上で、スポンサーからの資金支援を受ける必要がある。
【０００６】
また、より安定的なスポンサー収入を得るためには、複数のスポンサー契約の獲得やスポンサー契約金額の競合による料金値上げ等を図る必要がある。
【０００７】
また、スポンサー側からは、セミナー内容の事前打合せ等を省き、セミナー内容がスポンサーの商品やサービス等に整合しているか、宣伝効果が期待できるか等の検討を行った上で、タイムリーにセミナー提供をする必要がある。
【課題を解決するための手段】
【０００８】
上述した問題を解決するために、請求項１に記載の発明にあっては、セミナー登録手段により、セミナー講師がスポンサー契約前にスポンサーの商品等を意識することなくセミナー講師の自主性および独立性により作成されたセミナー内容とスポンサー受付状態を登録し、インターネット上で公開することで、スポンサー登録手段により事前にスポンサー業者登録したスポンサー業者のみが視聴できるセミナー公開手段とスポンサー業者登録したスポンサー業者のみがスポンサー申込登録できるスポンサー登録手段を備えることを特徴とする。
【０００９】
また、請求項２に記載の発明においては、請求項１のスポンサー申込支援システムにおいて、セミナー講師がセミナー登録手段により登録済みのセミナーを一般公開状態に設定し、インターネット上で公開することで、インターネット利用の一般利用者がセミナーを受講できるセミナー公開手段を備えることを特徴とする。
【００１０】
また、請求項３に記載の発明においては、請求項１のスポンサー申込支援システムにおいて、セミナー登録手段により登録済みのセミナーのスポンサー受付状態並びに一般公開状態は独立設定が行え、スポンサー受付状態を一般公開前だけに限定することや、一般公開後もスポンサー受付を実施することが行え、スポンサー増加を目的とするスポンサー受付期間の調整を可能にするセミナー登録手段とセミナー公開手段を備えることを特徴とする。
【００１１】
また、請求項４に記載の発明においては、請求項１のスポンサー申込支援システムにおいて、スポンサー登録業者は、セミナー検索手段によりスポンサー受付状態のセミナーの概要、スポンサー受付の期間、一般公開の期間、セミナー講師の過去のセミナー評価等の検索を行い、セミナー公開手段によりスポンサー受付状態のセミナー内容を視聴できるセミナー公開手段を備えることを特徴とする。
【００１２】
また、請求項５に記載の発明においては、請求項１のスポンサー申込支援システムにおいて、スポンサー申込は、スポンサー登録業者がスポンサー受付状態中にスポンサー登録手段によりスポンサー契約金額、スポンサー期間等を登録することで行われ、スポンサー受付状態中であれば複数のスポンサーからスポンサー契約受付が可能であり、セミナー講師は複数スポンサーのスポンサー契約金額やスポンサー契約期間から好条件のスポンサー契約を選択し単独または複数のスポンサー契約締結を登録することができるスポンサー登録手段を備えることを特徴とする。また、請求項５に記載の発明においては、請求項１のスポンサー申込支援システムにおいて、スポンサー契約締結登録後にインターネット上で一般公開された当該セミナーには、スポンサー契約に従いバナー広告やセミナーの前後途中での商品広告およびアンケート等が挿入され、スポンサー広告が実施されるセミナー公開手段を備えることを特徴とする。
【００１３】
また、請求項６に記載の発明においては、請求項１のスポンサー申込支援システムにおいて、セミナー受講者からのセミナーアンケート結果の収集、セミナー講師に対しセミナー内容の質問や業務依頼打診等の仲介処理を行い、セミナーアンケート結果情報等を蓄積し、スポンサーに対しセミナー講師の評価基礎情報を提供するコミュニケーション手段を備えることを特徴とする。
【発明の効果】
【００１４】
職業的専門人等のセミナー講師は、セミナー内容の完成後にスポンサー申込およびスポンサー契約締結、スポンサーの資金支援を受け付けることで、スポンサー商品等からの独立性やセミナー講師の自主性を確保したセミナーの提供が行える。
【００１５】
また、スポンサー契約申込を複数者から受付可能とすることで、スポンサー契約金額やスポンサー契約期間を競合させ、セミナー講師にとって好条件のスポンサー契約を選択し締結することができる。
【００１６】
また、セミナーの資金支援が行われることでセミナー講師やセミナー数量の増加が期待できる。セミナー数量が増えることで、セミナー受講者の期待するセミナー内容が投稿される確率が増加する、その結果、セミナー受講者の集客率が増加し、より多くの受講者にセミナーを受講してもらえる。その結果、スポンサーの宣伝効果の向上が期待できる。
【００１７】
また、スポンサーは、セミナー内容が自社の商品やサービスとの整合性や宣伝効果を検討した上、スポンサー契約申込が行える。
【００１８】
また、スポンサーは、提供セミナーの作成調整時間等を費やすことなく、タイムリーなスポンサー契約申込ができる。
【発明を実施するための最良の形態】
【００１９】
以下の説明で使用する字句等の意味が定められる。例えば、以下の説明では、広告情報を提供する者、すなわち広告をしたい者を「スポンサー」とし、スポンサー契約締結に至らないスポンサーを「スポンサー登録業者」としている。また、インターネットからセミナーを聴講する者を「セミナー受講者」とし、セミナー受講者となりうるインターネット利用者を「一般利用者」としている。また、スポンサー登録業者がセミナー契約締結の検討の為にセミナーを聴講することを「視聴」とし、セミナー受講者がセミナーを聴講することを「受講」としている。
【００２０】
１：動作環境
以下、本発明における一実施形態について図面を参照して説明する。図１は、本実施形態の構成を示す全体構成図である。本システムは、サーバ（１０１）と端末（１０２から１０４）等で構成される。サーバ（１０１）は、インターネット・セミナーの「スポンサー申込支援システム」である。インターネット・セミナーの「スポンサー申込支援システム」は、インターネットに接続されている。符号１０２、１０３、１０４、…は各種の端末であり、サーバ（１０１）と同様にしてインターネットに接続される。説明便宜上、端末（１０２）をセミナー講師の端末、端末（１０３）をスポンサーの端末、端末（１０４）をセミナー受講者の端末とするが実施形態にあたっては、同一の端末であっても支障はない。
【００２１】
２：システム構成
次に、「スポンサー申込支援システム」の詳細構成について説明する。図２は、「スポンサー申込支援システム」の構成を示すブロック図である。「スポンサー申込支援システム」は、「スポンサー申込支援の機能プログラム」（２０１）と「スポンサー申込支援のデータベース」（２０７）から構成される。「スポンサー申込支援の機能プログラム」（２０１）は、「セミナー登録手段」（２０２）、「スポンサー登録手段」（２０３）、「セミナー検索手段」（２０４）、「セミナー公開手段」（２０５）、「コミュケーション手段」（２０６）から構成されている。「スポンサー申込支援のデータベース」（２０７）であり、「プロファイル・データベース」、「禁止語句・データベース」、「パスワード・データベース」、「セミナー・データベース」、「スポンサー・データベース」、「コミュニケーション・データベース」から構成されている。
【００２２】
２−１：セミナー登録手段
図２の「セミナー登録手段」（２０２）は、セミナー講師の氏名やセミナー内容等を登録する機能であり、「セミナー講師登録・機能」、「セミナー内容登録・機能」、「禁止語句チェック・機能」、「状態設定機能・機能」から構成されている。
「セミナー講師登録・機能」は、セミナー講師の氏名や資格、資格証明書等の新規登録・処理、登録内容の修正・処理、登録の削除処理がある。資格証明書はイメージスキャナーファイルで添付入力される。
次に、「セミナー内容登録・機能」は、セミナー内容のテキストファイル、音声ファイル、動画ファイル等の登録、変更、削除処理がある。
次に、「禁止語句チェック・機能」は、セミナー内容登録・機能で登録されたテキストファイルに対し、差別語句や卑猥な語句の使用をチェックし、警告する処理である。
次に、「状態設定機能・機能」は、スポンサーからのスポンサー契約申込の受付可能状態を設定するスポンサー受付状態とセミナー受講者に開放する設定を行う一般公開状態がある。
【００２３】
２−２： スポンサー登録手段
図２の「スポンサー登録手段」（２０３）は、スポンサー業者の氏名やスポンサー契約の申込登録する機能であり、「スポンサー業者登録・機能」、「スポンサー申込・機能」、「スポンサー契約締結・機能」から構成されている。
「スポンサー業者登録・機能」は、スポンサーの氏名、住所、業種、宣伝商品・サービス等の登録、変更、削除処理がある。
次に、「スポンサー申込・機能」は、スポンサー契約を申込みたいセミナーに対し、スポンサー契約金額、期間、バナーや動画等の宣伝内容の入力処理から構成される。
次に、「スポンサー契約締結・機能」は、スポンサー業者からのスポンサー申込情報の照会処理、複数スポンサー業者からのスポンサー申込情報の条件比較、セミナー講師の判断による契約締結入力処理から構成される。
【００２４】
２−３： セミナー検索手段
図２の「セミナー検索手段」（２０４）は、「セミナー種別」、「セミナー内容」、「セミナー講師指名」等を検索する機能である。
【００２５】
２−４： セミナー公開手段
図２の「セミナー公開手段」（２０５）は、スポンサー登録業者や一般利用者に対するセミナーを公開機能であり、「セミナー受講者・セミナー公開・機能」、「スポンサー用・セミナー公開・機能」から構成されている。
「セミナー受講者・セミナー公開・機能」は、一般利用者に対し、一般公開状態のセミナー内容とスポンサーの宣伝内容を合わせて公開する処理である。
次に、「スポンサー用・セミナー公開・機能」は、スポンサー登録業者に対し、スポンサー受付状態のセミナー内容を公開する処理である。
【００２６】
２−５： コミュケーション手段
図２の「コミュケーション手段」（２０６）は、セミナー講師とセミナー受講の一般利用者とのコミュケーション機能であり、「アンケート・機能」、「問合せ・機能」、「業務評価・機能」から構成されている。
「アンケート・機能」は、セミナー受講者に対し事前に登録されたアンケートに対する結果を入力させ、セミナー講師やスポンサー登録業者に公開する処理である。
次に、「問合せ・機能」は、セミナー受講者からのセミナー講師に対するセミナー内容の問合せや業務依頼およびセミナー講師からセミナー受講者に対する返答メールを仲介する処理である。
次に、「業務評価・機能」は、問合せ・機能によりセミナー受講者からセミナー講師に依頼された受託業務に対する業務評価結果を入力する処理である。
【００２７】
２−６：「プロファイル・データベース」（３０１）
図３の「プロファイル・データベース」（３０１）は、本システムより自動符番された講師ＩＤとセミナー登録手段の「セミナー講師登録・処理」で入力された「講師氏名」、「資格名称」、「資格証明書イメージスキャナーファイル名称」、「経歴」、「講師メールＩＤ」、「住所」、「電話番号」、「所属会社名」、「所属会社住所」、「所属会社電話番号」のプロファイルが登録され、セミナー講師の真正なプロファイルをスポンサーやセミナー受講者に公開する。
【００２８】
２−８：「禁止語句・データベース」（３０３）
図３の「禁止語句・データベース」（３０３）は、本システムより自動符番符された「禁止語句ＩＤ」、セミナー分類と対応した「分類」、分類毎にセミナーテキストで使用を禁止した語句が登録された「禁止語句」、語句の使用を禁止した「理由」、禁止語句の適用開始と終了期間が設定された「適用期間」から構成され、セミナーテキストファイルの内容に禁止語句が使用されているかをシステム照合確認しセミナー講師に警告提示する機能の要となる。
【００２９】
２−８：「パスワード・データベース」（３０５）
図３の「パスワード・データベース」（３０５）は、セミナー講師またはスポンサー登録業者のアクセス区分である「認証ＩＤ」、“セミナー講師”または“スポンサー登録業者”の区分である「分類」、講師ＩＤまたはスポンサーＩＤが登録された「分類ＩＤ」、セミナー講師またはスポンサー登録業者毎の暗証番号である「パスワード」、コメント等が登録された「備考」、本データが登録された「登録日付」から構成され、セミナー講師またはスポンサー登録業者の本人認証の要となる。
【００３０】
２−９：「セミナー・データベース」（３１０）
図３の「セミナー・データベース」（３１０）は、「セミナー制御・テーブル」（３１１）、「セミナーテキスト・テーブル」（３１２）、「セミナー音声・テーブル」（３１３）、「セミナー動画・テーブル」（３１４）から構成される。
「セミナー制御・テーブル」（３１１）は、本システムより自動符番された「セミナーＩＤ」、「プロファイル・データベース」（３０１）とリンクした「講師ＩＤ」、セミナー講師が入力した「スポンサー受付区分」、「スポンサー受付期間」（開始日付、終了日付）、「一般公開区分」（ON：公開、OFF：未公開）、「一般公開期間」（開始日付、終了日付）、「セミナータイトル」、「セミナー分類」、「セミナー概要」、「質問受付区分」、「業務依頼受付区分」と、スポンサー契約締結後に入力される「スポンサーＩＤ」（N個）、「契約ＩＤ」（N個）から構成され、スポンサーの受付制御、セミナーの一般公開制御、スポンサー契約制御等の要となる。
次に、「セミナーテキスト・テーブル」（３１２）は、「セミナー制御・テーブル」（３１１）とリンクした「セミナーＩＤ」、本システムより自動符番される「連番」、テキストファイルが格納されたディレクトリーとファイルＩＤからなる「テキストファイル名称」から構成される。
次に、「セミナー音声・テーブル」（３１３）は、「セミナー制御・テーブル」（３１１）とリンクした「セミナーＩＤ」、本システムより自動符番される「連番」、音声ファイルが格納されたディレクトリーとファイルＩＤからなる「音声ファイル名称」から構成される。
次に、「セミナー動画・テーブル」（３１４）は、「セミナー制御・テーブル」（３１１）とリンクした「セミナーＩＤ」、本システムより自動符番される「連番」、動画ファイルが格納されたディレクトリーとファイルＩＤからなる「動画ファイル名称」から構成される。
【００３１】
２−１０：「スポンサー・データベース」（３２０）
図３の「スポンサー・データベース」（３２０）は、「スポンサー・テーブル」（３２１）、「スポンサー契約・テーブル」（３２２）、「広告・テーブル」（３２３）から構成される。
「スポンサー・テーブル」（３２１）は、本システムより自動符番された「スポンサーＩＤ」、スポンサー登録手段（２０３）の「スポンサー業者登録」で入力された「会社名」、「住所」、「担当部署」、「担当者氏名」、「スポンサーメールＩＤ」、「業種」、「会社概要」から構成され、スポンサー契約申込の受付制御等の要となる。
次に、「スポンサー契約・テーブル」（３２２）は、「セミナー制御・テーブル」（３１１）とリンクした「セミナーＩＤ」、「スポンサー・テーブル」（３２１）とリンクした「スポンサーＩＤ」、本システムより自動符番された「契約ＩＤ」、スポンサー登録手段（２０３）のスポンサー申込・機能で入力された「契約金額」、スポンサー契約の「スポンサー期間」、スポンサー契約締結の結果である「講師承認区分」から構成され、「セミナー登録手段」（２０２）のスポンサー契約登録・機能でのスポンサー契約申込情報検索やセミナー契約締結入力等の要となる。
次に、「広告・テーブル」（３２３）は、「セミナー制御・テーブル」（３１１）とリンクした「セミナーＩＤ」、「スポンサー・テーブル」（３２１）とリンクした「スポンサーＩＤ」、「スポンサー契約・テーブル」（３２２）とリンクした「契約ＩＤ」、本システムにより自動符番された「連番」、スポンサー登録手段（２０３）のスポンサー申込・機能で入力されたバナー表示や動画途中表示等の宣伝方法を指定した「広告区分」、宣伝内容が格納されたファイルのディレクトリーとファイルＩＤの「広告ファイル名称」から構成され、「セミナー公開手段」（２０５）のセミナー受講処理での広告表示等の要となる。
【００３２】
２−１１：「コミュニケーション・データベース」（３３０）
図３の「コミュニケーション・データベース」（３３０）は、「質問・依頼および返答・テーブル」（３３１）、「アンケート・テーブル」（３３２）、「業務評価・テーブル」（３３３）、「アンケート質問・テーブル」（３３４）から構成される。
「質問・依頼および返答・テーブル」（３３１）は、「セミナー制御・テーブル」（３１１）とリンクした「セミナーＩＤ」、「コミュケーション手段」（２０６）の問合せ・機能で入力されたセミナー受講者の「受講者メールＩＤ」、本システムより自動符番された「連番」、本システムより自動付加された「作成日付」、「コミュケーション手段」（２０６）の問合せ・機能でセミナー受講者から入力された「受講者氏名」、「受講者住所」、「受講者電話番号」、「質問・業務依頼区分」、「質問・依頼」、「コミュケーション手段」（２０６）の問合せ・機能でセミナー講師から入力された「返答内容」から構成され、「コミュケーション手段」（２０６）の問合せ・機能でのセミナー受講者とセミナー講師のコミュニケーション仲介等の要となる。
次に、「アンケート・テーブル」（３３２）は、「セミナー制御・テーブル」（３１１）とリンクした「セミナーＩＤ」、「プロファイル・データベース」（３０１）のプロファイル・テーブルとリンクした「講師ＩＤ」、本システムより自動符番された「連番」、本システムより事前設定された「アンケート質問内容」、「コミュケーション手段」（２０６）のアンケート・機能でセミナー受講者から入力された「アンケート結果内容」、「受講者氏名」、「受講者住所」、「受講者電話番号」、「受講者メールＩＤ」、本システムより自動付加された「作成日付」から構成され、「コミュケーション手段」（２０６）のアンケート・機能でのアンケート入力、セミナー検索手段（２０４）のスポンサー用・セミナー検索・機能でのセミナーアンケート集計情報の照会等の要となる。
次に、「業務評価・テーブル」（３３３）は、「プロファイル・データベース」（３０１）のプロファイル・テーブルとリンクした「講師ＩＤ」、本システムより自動符番された「連番」、本システムより事前設定された「評価項目内容」、「コミュケーション手段」（２０６）の業務評価入力・機能でセミナー講師に対し業務依頼を実施したセミナー受講者から入力された「価結果内容」、「評価者氏名」、「評価者住所」、「評価者電話番号」、「評価者のコメント」、本システムより自動付加した「作成日付」から構成され、「コミュケーション手段」（２０６）の業務評価入力・機能での業務評価入力、セミナー検索手段（２０４）のスポンサー用・セミナー検索・機能でのセミナー講師の受託業務の評価情報の照会等の要となる。
次に、「アンケート質問・テーブル」（３３４）は、空欄の「セミナーＩＤ」、システムに初期値登された“セミナー受講前アンケート”、“セミナー受講後アンケート”、“業務依頼後アンケート”の語句が登録された「アンケート区分」、本システムより自動符番された「連番」、アンケート区分毎に本システムに初期登録された「アンケート質問内容」から構成され、「コミュケーション手段」（２０６）のアンケート質問等の要となる。
【００３３】
３：メインメニューの動作説明
次に、本実施形態の動作について説明する。ここで、図１の端末１０２、１０３、１０４…は、それぞれインターネットを経由し「スポンサー申込支援システム」（１０１）と接続されて通信を行ない、いずれもセミナー講師の端末としても、スポンサーの端末としても、セミナー受講者の端末としても機能する。いずれの端末からでも接続された場合は、スポンサー申込支援システムが図４の「メインメニュー」（４０１：スポンサー申込支援システム）を表示し、セミナー受講者のための「セミナー受講処理」（４０２：セミナー受講）と「セミナー質問・講師への業務依頼処理」（４０３：セミナー質問・業務依頼）、セミナー講師のための「セミナー講師処理」（４０４：セミナー講師処理）、スポンサーのための「スポンサー処理」（４０５：スポンサー処理）を受付ける。
【００３４】
３−１：セミナー講師処理
まず、図４の「セミナー講師処理」（４０４：セミナー講師処理）を選択するとＳＳL（Ｓｅｃｕｒｅ Ｓｏｃｋｅｔ Ｌａｙｅｒ）の仕組みにより「メインメニュー」（４０１：スポンサー申込支援システム）のサーバ証明書とセミナー講師のクライアント証明書の検証を行い、失敗した場合は、「クライアント証明書が必要です。クライアント証明書を取得、設定後に再度実施下さい。」のエラーメッセージを表示し、図４の「メインメニュー」（４０１：スポンサー申込支援システム）に戻る。一方、検証が成功した場合は、図４の「セミナー講師の処理メニュー」（４１０：セミナー講師処理）を表示し、以下の処理を受付ける。スポンサー申込支援システムにおいて、セミナー講師から入力される氏名や資格等は、電子署名付の入力で行われ、入力の否認を防止している。
【００３５】
３−１−１：セミナー講師の新規登録
図４の「セミナー講師の登録処理」（４１１：講師登録）を選択すると、図５の「基本情報登録・共通フローチャート」が実施される。「セミナー講師基本情報の入力処理」（Ｓ５０１：基本情報入力）において、「講師氏名」、「資格名称」、「経歴」、「講師メールＩＤ」、「住所」、「電話番号」、「所属会社名」、「所属会社住所」、「所属会社電話番号」の講師基本情報の入力と「資格証明書イメージスキャナーファイル」のアップロードを行わす。
次に、「セミナー講師の新規判定」（Ｓ５０２：新規判定）において、入力された「講師氏名」、「電話番号」と図３のプロファイル・データベース（３０１）の同項目を照合し、既に登録されている場合（Ｓ５０２：ＮＧ）は、「既に講師氏名と電話番号が登録されています。」と表示し「セミナー講師基本情報の入力処理」（Ｓ５０１：基本情報入力）に戻る。
次に、「セミナー講師の認証ＩＤ入力処理」（Ｓ５０３：ＩＤ入力処理）において、セミナー講師のアクセス認証の「認証ＩＤ」と「パスワード」を入力させる。
次に、「セミナー講師の認証ＩＤの新規判定」（Ｓ５０４：新規判定）において、入力された「認証ＩＤ」と図３の「パスワード・データベース」（３０５）の全ての「認証ＩＤ」を照合し、既に登録されている場合（Ｓ５０４：ＮＧ）は、「他の認証ＩＤをご入力下さい。」と表示し「セミナー講師の認証ＩＤ入力処理」（Ｓ５０３：ＩＤ入力処理）に戻る。
次に、「セミナー講師基本情報の登録処理」（Ｓ５０５：基本情報登録処理）において、アップロードされた「資格証明書イメージスキャナーファイル」を本システムのファイルディレクトリーに格納し、格納場所であるファイルディレクトリーとファイル名称を「資格証明書イメージスキャナーファイル名称」に退避する。本システムにより自動符番された「講師ＩＤ」と入力された「講師氏名」、「資格名称」、「経歴」、「講師メールＩＤ」、「住所」、「電話番号」、「所属会社名」、「所属会社住所」、「所属会社電話番号」と退避された「資格証明書イメージスキャナーファイル名称」を図３の「プロファイル・データベース」（３０１）の該当項目に格納する。
また、入力された「認証ＩＤ」と「パスワード」を図３の「パスワード・データベース」（３０５）の該当項目に設定し、「プロファイル・データベース」（３０１）の「講師ＩＤ」を「分類ＩＤ」に、“セミナー講師”を「分類」に、本処理日を「登録日付」設定し、「パスワード・データベース」（３０５）を格納し、図４の「セミナー講師処理メニュー」（４１０：セミナー講師処理）に戻る。
【００３６】
３−１−２：セミナー講師処理のセミナー講師認証の共通処理
図４の「セミナー講師情報の変更処理」（４１２：講師情報変更）から「委託業務の評価アンケート作成処理」（４１７：業務評価登録）を選択された場合の共通処理として、セミナー講師のアクセス認証の「認証ＩＤ」と「パスワード」を入力させ、入力された「認証ＩＤ」および「パスワード」と図３の「パスワード・データベース」（３０５）の「認証ＩＤ」および「パスワード」を照合し、不一致の場合は、「セミナー講師の認証ＩＤとパスワードが不一致です。」と表示し図４の「セミナー講師処理メニュー」（４１０：セミナー講師処理）に戻る。一方、一致した場合は、図３の「パスワード・データベース」（３０５）の「分類ＩＤ」（講師ＩＤ）をキーとして図３の「プロファイル・データベース」（３０１）を読込退避し、選択された以下の「セミナー講師情報の変更処理」（４１２：講師情報変更）から「委託業務の評価アンケート作成処理」（４１７：業務評価登録）に移る。
【００３７】
３−１−３：「セミナー講師情報の変更処理」（４１２：講師情報変更）
図４の「セミナー講師情報の変更処理」（４１２：講師情報変更）を選択すると、図６の「基本情報変更・共通フローチャート」が実施される。「セミナー講師基本情報の変更入力処理」（Ｓ６０１：基本情報入力）において、「資格名称」、「経歴」、「講師メールＩＤ」、「住所」、「電話番号」、「所属会社名」、「所属会社住所」、「所属会社電話番号」、「認証ＩＤ」、「パスワード」の講師基本情報の変更入力と「資格証明書イメージスキャナーファイル」の変更アップロードを行わす。
次に、「セミナー講師の認証ＩＤ変更判定」（Ｓ６０２：ＩＤ変更）において、入力された「認証ＩＤ」が変更されかを判定し、「認証ＩＤ」が変更されていない場合（Ｓ６０２：NO）は、「セミナー講師基本情報の変更登録処理」（Ｓ６０４：基本情報変更処理）に移る。一方、入力された「認証ＩＤ」が変更されている場合（Ｓ６０２：ＹＥＳ）は、  「セミナー講師の認証ＩＤの新規判定」（Ｓ６０３：新規判定）に移る。
次に、「セミナー講師の認証ＩＤの新規判定」（Ｓ６０３：新規判定）において、入力された「認証ＩＤ」と図３の「パスワード・データベース」（３０５）の全件の「認証ＩＤ」を照合し、既に登録されている場合（Ｓ６０３：ＮＧ）は、「他の認証ＩＤをご入力下さい。」と表示し「セミナー講師基本情報の変更入力処理」（Ｓ６０１：基本情報入力）に戻る。
次に「セミナー講師基本情報の変更登録処理」（Ｓ６０４：基本情報変更処理）において、変更アップロードされた「資格証明書イメージスキャナーファイル」を本システムのファイルディレクトリーに格納し、格納場所であるファイルディレクトリーとファイル名称を「資格証明書イメージスキャナーファイル名称」に退避する。変更入力された「資格名称」、「経歴」、「講師メールＩＤ」、「住所」、「電話番号」、「所属会社名」、「所属会社住所」、「所属会社電話番号」と退避された「資格証明書イメージスキャナーファイル名称」を図３の「プロファイル・データベース」（３０１）の該当項目に格納する。
また、図３の「パスワード・データベース」（３０５）の変更前の「認証ＩＤ」を削除し、変更入力された「認証ＩＤ」と「パスワード」を該当項目に設定し、「プロファイル・データベース」（３０１）の「講師ＩＤ」を「分類ＩＤ」に、“セミナー講師”を「分類」に、本処理日を「登録日付」設定し、「パスワード・データベース」（３０５）を格納し、図４の「セミナー講師処理メニュー」（４１０：セミナー講師処理）に戻る。
【００３８】
３−１−４：「セミナーの新規登録処理」（４１３：セミナー登録）
次に、図４の「セミナーの新規登録処理」（４１３：セミナー登録）を選択すると、図７の「セミナー登録フローチャート」が実施される。「セミナー情報の入力処理」（Ｓ７０１：セミナー情報入力）において、セミナーの表題を「セミナータイトル」に入力し、スポンサーを受付する場合は”ＯＮ”または受付しない場合は”ＯＦＦ”の区分を「スポンサー受付区分」に入力し、「スポンサー受付区分」が”ＯＮ”の場合は受付の開始日付と終了日の受付期間を「スポンサー受付期間」に入力し、セミナーを一般に公開する場合は”ＯＮ”または公開しない場合は”ＯＦＦ”の区分を「一般公開区分」に入力し、「一般公開区分」が”ＯＮ”の場合は一般公開の開始日付と終了日付の期間を「一般公開期間」に入力し、「政治」や「教育」等のデフォルト設定されている分類を「セミナー分類」に選択し、セミナー主旨等を「概要セミナー概要」に入力し、セミナー受講者からのセミナー質問を受付する場合は”ＯＮ”または受付しない場合は”ＯＦＦ”の区分を「質問受付区分」に入力し、セミナー受講者からセミナー講師に対する委託業務を受付する場合は”ＯＮ”または受付しない場合は”ＯＦＦ”の区分を「業務依頼受付」に入力させる。
次にセミナー内容に「テキストファイル」や「音声ファイル」および「動画ファイル」がある場合は、「テキストファイル」や「音声ファイル」および「動画ファイル」をアップロードさせる。
次に、「セミナーテキストファイルの有無判定」（Ｓ７０２：テキスト判定）において、格納されたテキストファイルの有無を判定し、テキストファイルがない場合（Ｓ７０２：なし）は、「セミナー情報の登録処理」（Ｓ７０４：セミナー情報登録処理）に移る。
次に、「テキスト使用語句のチェック」（Ｓ７０３：禁止語句チェック）において、予め禁止語句が登録された図３の「禁止語句・データベース」（３０３）の適用期間内の禁止語句とアップロードされたテキストファイル内容の語句を照合し、一致する語句が存在する場合（Ｓ７０３：ＮＧ）は、「テキストファイルに禁止語句が使用されています。」とエラーメッセージを表示し「セミナー情報の入力処理」（Ｓ７０１：セミナー情報入力）に戻る。
次に「セミナー情報の登録処理」（Ｓ７０４：セミナー情報登録処理）において、自動符番した「セミナーＩＤ」と読込退避された図３の「プロファイル・データベース」（３０１）の「講師ＩＤ」と入力された「セミナータイトル」、「スポンサー受付区分」、「スポンサー受付期間」、「一般公開区分」、「一般公開期間」、「セミナー分類」、「セミナー概要」、「質問受付」、「業務依頼受付」を「セミナー制御・テーブル」（３１１）の該当項目に格納する。
次にアップロードされた「テキストファイル」や「音声ファイル」および「動画ファイル」がある場合は、「テキストファイル」や「音声ファイル」および「動画ファイル」を本システムのファイルディレクトリーに格納し、格納場所であるファイルディレクトリーとファイル名称を「テキストファイル名称」や「音声ファイル名称」および「動画ファイル名称」に退避する。
新規のテキストファイルがある場合は、図３の「セミナー制御・テーブル」（３１１）の「セミナーＩＤ」、複数テキストファイルがある場合には本システムによる自動連続番号を「連番」、退避された「テキストファイル名称」を図３の「セミナーテキスト・テーブル」（３１２）の該当項目に格納する。変更時には置換を行う。
新規の音声ファイルがある場合は、図３の「セミナー制御・テーブル」（３１１）の「セミナーＩＤ」、複数テキストファイルがある場合には本システムによる自動連続番号を「連番」、退避された「音声ファイル名称」を図３の「セミナー音声・テーブル」（３１３）の該当項目に格納する。変更時には置換を行う。
新規の動画ファイルがある場合は、図３の「セミナー制御・テーブル」（３１１）の「セミナーＩＤ」、複数動画ファイルがある場合には本システムによる自動連続番号を「連番」、退避された「動画ファイル名称」を図３の「セミナー動画・テーブル」（３１４）の該当項目に格納する。
各ファイルの変更時には、各ファイルの置換を行う。
【００３９】
３−１−５：「セミナー内容の変更処理」（４１４：セミナー変更登録）
次に、図４の「セミナー内容の変更処理」（４１４：セミナー変更登録）を選択すると、読込退避された図３の「プロファイル・データベース」（３０１）の「講師ＩＤ」と「セミナー制御・テーブル」（３１１）の「講師ＩＤ」が一致する全ての「セミナーＩＤ」と「セミナータイトル」を表示し、変更するセミナーＩＤを選択させる。
次に選択されたセミナー内容を表示し、図４の「セミナーの新規登録処理」（４１３：セミナー登録）と同様の内容入力および更新を行い、図４の「セミナー講師処理メニュー」（４１０：セミナー講師処理）に戻る。
【００４０】
３−１−６：「スポンサー契約の締結入力処理」（４１５：スポンサー締結）
次に、図４の「スポンサー契約の締結入力処理」（４１５：スポンサー締結）を選択すると、図８の「スポンサー契約の締結入力」フローチャートが実施される。「スポンサー契約締結のセミナーＩＤ入力」（Ｓ８０１：セミナーＩＤ入力）において、スポンサー契約締結を行う「セミナーＩＤ」を入力させる。
次に、「セミナーＩＤ入力判定」（Ｓ８０２：入力判定）において、入力された「セミナーＩＤ」をキーとして図３の「セミナー制御・テーブル」（３１１）を検索し、一致する「セミナーＩＤ」がない場合（Ｓ８０２：ＮＧ）は、「セミナーＩＤが存在しません。」とエラーメッセージを表示し、「スポンサー契約締結のセミナーＩＤ入力」（Ｓ８０１：セミナーＩＤ入力）に戻る。
次に「スポンサー契約の申込状態判定」(Ｓ８０３：受付状態)において、「セミナー制御・テーブル」（３１１）の「スポンサーＩＤ」の有無を検索、「スポンサーＩＤ」が存在しない場合（Ｓ８０３：ＮＧ）は、“スポンサー契約の申込がありません”とエラーメッセージを表示し、「スポンサー契約締結のセミナーＩＤ入力」（Ｓ８０１：セミナーＩＤ入力）に戻る。
次に、「スポンサー契約締結入力処理」（Ｓ８０４：契約内容入力処理）において、「セミナー制御・テーブル」（３１１）の全ての「スポンサーＩＤ」に対する図３の「スポンサー・テーブル」（３２１）、「スポンサー契約・テーブル」（３２２）、「広告・テーブル」（３２３）を読込、「スポンサーＩＤ」、「会社名」、「電話番号」、「住所」、「担当部署」、「担当者氏名」、「業種」、「会社概要」、「契約ＩＤ」、「契約金額」、「スポンサー期間」、「講師承認区分」、「広告区分」、「広告ファイル名称」を一覧表示する。スポンサー契約を締結したい該当の「契約ＩＤ」の「講師承認区分」に対し、“ＯＫ”を入力させ、「スポンサー契約・テーブル」（３２２）を格納する。
次に、「スポンサーへの連絡処理」（Ｓ８０５：スポンサー連絡処理）において、「講師承認区分」に“ＯＫ”が格納された該当スポンサーの「スポンサーメールＩＤ」に対し、“スポンサー契約が締結完了しました。”、「セミナーＩＤ」、「セミナータイトル」、「講師氏名」、「スポンサー受付期間」、「一般公開期間」、「セミナー分類」、「セミナー概要」、「契約ＩＤ」、「契約金額」、「スポンサー期間」を添付し自動メール送信を行い、図４の「セミナー講師処理メニュー」（４１０：セミナー講師処理）に戻る。
【００４１】
３−１−７：「コミュケーション処理」（４１６：コミュケーション登録）
次に、図４の「コミュケーション処理」（４１６：コミュケーション登録）を選択すると、図９の「セミナー質問・業務依頼申込」フローチャートが実施される。「質問・業務依頼対応のセミナーＩＤ入力」（Ｓ９０１：セミナーＩＤ入力）において、質問・業務依頼対応を行う「セミナーＩＤ」を入力させる。
次に、「セミナーＩＤの入力判定」（Ｓ９０２：判定入力）において、入力された「セミナーＩＤ」をキーとして図３の「セミナー制御・テーブル」（３１１）を検索し、一致する「セミナーＩＤ」が存在しないかまたは「セミナー制御・テーブル」（３１１）の「講師ＩＤ」が読込退避された「講師ＩＤ」と不一致の場合（Ｓ９０２：ＮＧ）は、「セミナーＩＤが存在しません。または、他のセミナー講師のセミナーです。」とエラーメッセージを表示し、「質問・業務依頼対応のセミナーＩＤ入力」（Ｓ９０１：セミナーＩＤ入力）に戻る。
次に「質問・業務依頼受付の状態判定」(Ｓ９０３：受付状態)において、入力された「セミナーＩＤ」をキーとして図３の「質問・依頼および返答・テーブル」（３３１）を読込、一致する「セミナーＩＤ」が存在しない場合（Ｓ９０３：ＮＧ）は、“質問・業務依頼はありません。”とエラーメッセージを表示し、「質問・業務依頼対応のセミナーＩＤ入力」（Ｓ９０１：セミナーＩＤ入力）に戻る。
次に、「質問・業務依頼の返答処理」（Ｓ９０４：返答内容入力処理）において、入力された「セミナーＩＤ」と一致する全ての「質問・依頼および返答・テーブル」（３３１）の「セミナーＩＤ」、「受講者メールＩＤ」、「連番」、「作成日付」、「受講者氏名」、「受講者住所」、「受講者電話番号」、「質問・業務依頼区分」、「質問・依頼」、「返答内容」を一覧表示し、返答する該当する「返答内容」に返信内容を入力させる。入力された「返答内容」を該当する「質問・依頼および返答・テーブル」（３３１）の同項目に格納する。
次に、「セミナー受講者への連絡処理」（Ｓ９０５：受講者への連絡処理）において、「返答内容」が入力された「受講者メールＩＤ」に対し、“セミナー講師よりからの返答です。”、「セミナーＩＤ」、「セミナータイトル」、「講師氏名」、「セミナー分類」、「セミナー概要」、「質問・業務依頼区分」、「質問・依頼」、「返答内容」を添付し自動メール送信を行い、図４の「セミナー講師処理メニュー」（４１０：セミナー講師処理）に戻る。
【００４２】
３−１−８：「委託業務の評価アンケート作成処理」（４１７：業務評価登録）
次に、図４の「委託業務の評価アンケート作成処理」（４１７：業務評価登録）を選択すると、図１０の「業務評価アンケート作成」フローチャートが実施される。「委託業務の評価アンケート作成のセミナーＩＤ入力」（Ｓ１００１：セミナーＩＤ入力）において、委託業務を受けた「セミナーＩＤ」を入力させる。
次に、「セミナーＩＤ入力判定」（Ｓ１００２：入力判定）において、入力された「セミナーＩＤ」をキーとして図３の「セミナー制御・テーブル」（３１１）を検索し、一致する「セミナーＩＤ」が存在しないまたは「セミナー制御・テーブル」（３１１）の「講師ＩＤ」が読込退避された「講師ＩＤ」と不一致の場合（Ｓ１００２：ＮＧ）は、「セミナーＩＤが存在しません。または、他のセミナー講師のセミナーです。」とエラーメッセージを表示し、「委託業務の評価アンケート作成のセミナーＩＤ入力」（Ｓ１００１：セミナーＩＤ入力）に戻る。
次に、「業務依頼の申込判定」(Ｓ１００３：受付状態)において、入力された「セミナーＩＤ」をキーとして図３の「質問・依頼および返答・テーブル」（３３１）を読込、一致する「セミナーＩＤ」が存在しないまたは「質問・業務依頼区分」が“業務依頼”でない場合（Ｓ１００３：ＮＧ）は、“依頼業務がありません。”とエラーメッセージを表示し、「委託業務の評価アンケート作成のセミナーＩＤ入力」（Ｓ１００１：セミナーＩＤ入力）に戻る。
次に、「業務評価アンケートの作成処理」（Ｓ１００４：評価内容作成処理）において、入力された「セミナーＩＤ」および「質問・業務依頼区分」が“業務依頼”と一致する全ての「質問・依頼および返答・テーブル」（３３１）の「セミナーＩＤ」、「受講者メールＩＤ」、「連番」、「作成日付」、「受講者氏名」、「受講者住所」、「受講者電話番号」、「質問・業務依頼区分」、「質問・依頼」、「返答内容」を一覧表示し、業務評価アンケート入力を依頼する該当セミナー受講者を選択させる。
次に、図３の「アンケート質問・テーブル」（３３４）の「アンケート区分」が“業務依頼後アンケート”と一致するの「アンケート質問内容」と「講師ＩＤ」と本システムによる自動符番を「連番」と「セミナーＩＤ」、「受講者メールＩＤ」とを図３の「業務評価・テーブル」（３３３）の該当項目に格納する。
次に、「業務依頼者への連絡処理」（Ｓ１００５：依頼者への連絡処理）において、「評価項目内容」が入力された「受講者メールＩＤ」に対し、“セミナー講師への業務依頼に対する評価入力のお願い。評価結果内容を入力後、返信ボタンを押して下さい。”、「プロファイル・データベース」（３０１）の「講師氏名」と「質問・依頼および返答・テーブル」（３３１）の「質問・依頼」、「返答内容」と「業務評価・テーブル」（３３３）の「評価項目内容」、「評価結果内容」、「評価者のコメント」と本メールのリターン処理が設定された「返信ボタン」をＨＴＭＬ形式で添付した「業務評価入力メール」を自動メール送信する。
次に、「業務依頼者からの返信処理」（Ｓ１００６：依頼者からの返信処理）において、「業務評価入力メール」の返信メールを自動読込し、返信された「業務評価結果内容」、「評価者のコメント」を該当する「業務評価・テーブル」（３３３）の「評価結果内容」、「評価者のコメント」に格納し、図４の「セミナー講師処理メニュー」（４１０：セミナー講師処理）に戻る。
【００４３】
３−２：「スポンサー処理」（４０５：スポンサー処理）
まず、図４の「スポンサー処理」（４０５：スポンサー処理）を選択するとＳＳL（Ｓｅｃｕｒｅ Ｓｏｃｋｅｔ Ｌａｙｅｒ）の仕組みにより「メインメニュー」（４０１：スポンサー申込支援システム）のサーバ証明書とスポンサー業者のクライアント証明書の検証を行い、検証が失敗した場合は、「クライアント証明書が必要です。クライアント証明書を取得、設定後に再度実施下さい。」のエラーメッセージを表示し、図４の「メインメニュー」（４０１：スポンサー申込支援システム）に戻る。一方、検証が成功した場合は、図４の「スポンサー処理メニュー」（４２０：スポンサー処理）が表示され以下の処理が行われる。スポンサー申込支援システムは、スポンサー業者から入力される会社名や担当者氏名等は、電子署名付の入力で行われ、入力の否認を防止している。
【００４４】
３−２−１：「スポンサー業者の登録処理」（４２１：スポンサー登録）
次に、図４の「スポンサー処理メニュー」（４２０：スポンサー処理）の「スポンサー業者の登録処理」（４２１：スポンサー登録）を選択すると、図５の「基本情報登録・共通フローチャート」が実施される。「スポンサー業者基本情報の入力処理」（Ｓ５０１：基本情報入力）において、「会社名」、「電話番号」、「住所」、「担当部署」、「担当者氏名」、「スポンサーメールＩＤ」、「業種」、「会社概要」のスポンサー業者の基本情報を入力させる。
次に、「スポンサー業者の新規判定」（Ｓ５０２：新規判定）において、入力された「会社名」と「電話番号」と図３の「スポンサー・テーブル」（３２１）の全ての「会社名」と「電話番号」を照合し、既に登録されている場合（Ｓ５０２：ＮＧ）は、「既にスポンサー会社名と電話番号が登録されています。」と表示し「スポンサー業者基本情報の入力処理」（Ｓ５０１：基本情報入力）に戻る。
次に、「スポンサー業者の認証ＩＤ入力処理」（Ｓ５０３：ＩＤ入力処理）において、スポンサー業者のアクセス認証の「認証ＩＤ」と「パスワード」を入力させる。
次に、「スポンサー業者の認証ＩＤの新規判定」（Ｓ５０４：新規判定）において、入力された「認証ＩＤ」と図３の「パスワード・データベース」（３０５）の全ての「認証ＩＤ」を照合し、既に登録されている場合（Ｓ５０４：ＮＧ）は、「他の認証ＩＤをご入力下さい。」と表示し「スポンサー業者の認証ＩＤ入力処理」（Ｓ５０３：ＩＤ入力処理）に戻る。
次に、「スポンサー業者基本情報の登録処理」（Ｓ５０５：基本情報登録処理）において、図３の「スポンサー・テーブル」（３２１）に対し、本システムにより自動符番された「スポンサーＩＤ」と入力された「会社名」、「電話番号」、「住所」、「担当部署」、「担当者氏名」、「スポンサーメールＩＤ」、「業種」、「会社概要」を格納する。
また、図３の「パスワード・データベース」（３０５）に対し、入力された「認証ＩＤ」、「パスワード」、「スポンサー・テーブル」（３２１）の「スポンサーＩＤ」を「分類ＩＤ」、“セミナー講師”を「分類」、本処理日を「登録日付」に格納する。
次に、図４の「スポンサー処理メニュー」（４２０：スポンサー処理）に戻る。
【００４５】
３−２−２：スポンサー処理のスポンサー認証の共通処理
図４の「スポンサー業者情報の変更処理」（４２２：スポンサー変更）から「スポンサー契約の申込処理」（４２４：スポンサー契約申込処理）を選択された場合の共通処理として、スポンサー業者のアクセス認証の「認証ＩＤ」と「パスワード」を入力させ、入力された「認証ＩＤ」および「パスワード」と図３の「パスワード・データベース」（３０５）の「認証ＩＤ」および「パスワード」を照合し、不一致の場合は、「スポンサーの認証ＩＤとパスワードが不一致です。」と表示し図４の「スポンサー処理メニュー」（４２０：スポンサー処理）に戻る。一方、一致した場合は、図３の「パスワード・データベース」（３０５）の「分類ＩＤ」（スポンサーＩＤ）をキーとして図３の「スポンサー・テーブル」（３２１）を読込退避し、選択された以下の「スポンサー業者情報の変更処理」（４２２：スポンサー変更）から「スポンサー契約の申込処理」（４２４：スポンサー契約申込処理）に移る。
【００４６】
３−２−３：「スポンサー業者情報の変更処理」（４２２：スポンサー変更）
図４の「スポンサー業者情報の変更処理」（４２２：スポンサー変更）を選択すると、図６の「基本情報変更・共通フローチャート」が実施される。「スポンサー業者基本情報の変更入力処理」（Ｓ６０１：基本情報入力）において、「会社名」、「電話番号」、「住所」、「担当部署」、「担当者氏名」、「スポンサーメールＩＤ」、「業種」、「会社概要」、「認証ＩＤ」、「パスワード」のスポンサー業者情報の変更入力を行わす
次に、「スポンサー業者の認証ＩＤ変更判定」（Ｓ６０２：ＩＤ変更）において、入力された「認証ＩＤ」が変更されかを判定し、「認証ＩＤ」が変更されていない場合（Ｓ６０２：NO）は、「スポンサー業者基本情報の変更登録処理」（Ｓ６０４：基本情報変更処理）に移る。
次に、「スポンサー業者の認証ＩＤの新規判定」（Ｓ６０３：新規判定）において、入力された「認証ＩＤ」と図３の「パスワード・データベース」（３０５）の全件の「認証ＩＤ」を照合し、既に登録されている場合（Ｓ６０３：ＮＧ）は、「他の認証ＩＤをご入力下さい。」と表示し「スポンサー業者基本情報の変更入力処理」（Ｓ６０１：基本情報入力）に戻る。
次に「セミナー講師基本情報の変更登録処理」（Ｓ６０４：基本情報変更処理）において、「スポンサー・テーブル」（３２１）に対し、変更入力された「会社名」、「電話番号」、「住所」、「担当部署」、「担当者氏名」、「スポンサーメールＩＤ」、「業種」、「会社概要」を格納する。
また、図３の「パスワード・データベース」（３０５）に対し、変更前の「認証ＩＤ」を削除し、変更入力された「認証ＩＤ」と「パスワード」を設定し、「スポンサー・テーブル」（３２１）の「スポンサーＩＤ」を「分類ＩＤ」に設定し、“スポンサー”を「分類」に設定し、本処理日を「登録日付」に設定し、「パスワード・データベース」（３０５）を格納する。
次に、図４の「スポンサー処理メニュー」（４２０：スポンサー処理）に戻る。
【００４７】
３−２−４：「スポンサー業者用のセミナー視聴」（４２３：セミナー視聴）
次に、図４の「スポンサー業者用のセミナー視聴」（４２３：セミナー視聴）を選択すると、図１１の「セミナー検索・共通」フローチャートが実施される。「セミナー検索項目の入力処理」（Ｓ１１０１：検索項目入力）において、「セミナーＩＤ」、「講師氏名」、「資格名称」、「経歴」、「セミナータイトル」、「セミナー分類」、「セミナー概要」の内、検索したいセミナーの一部または全部項目の検索条件を入力させる。
次に、「セミナー検索項目の入力判定」（Ｓ１１０２：入力判定）において、「講師氏名」、「資格名称」、「経歴」項目の入力有無を判定し、全ての項目に入力がない場合は、「該当セミナーの判定」（Ｓ１１０５：セミナー検索判定）に移る。
次に、「セミナー講師判定」（Ｓ１１０３：講師判定）において、入力された「講師氏名」、「資格名称」、「経歴」と図３の「プロファイル・データベース」（３０１）の同項目と一致するセミナー講師検索し、一致するセミナー講師が存在しない場合は、「該当するセミナー講師は存在しません。」とエラーメッセージを表示し、「セミナー検索項目の入力処理」（Ｓ１１０１：検索項目入力）に戻る。
次に「セミナー講師情報の退避処理」（Ｓ１１０４：講師情報編集処理）において、入力された「講師氏名」、「資格名称」、「経歴」と一致する図３の「プロファイル・データベース」（３０１）の全ての「講師ＩＤ」を退避する。
次に「該当セミナーの判定」（Ｓ１１０５：セミナー検索判定）において、入力された「セミナーＩＤ」、「セミナータイトル」、「セミナー分類」、「セミナー概要」と「講師氏名」、「資格名称」、「経歴」が入力された場合は退避された「講師ＩＤ」と図３の「セミナー制御・テーブル」（３１１）の該当項目と一致するセミナー検索し、一致するセミナーが存在しない場合は、「該当するセミナーが見つかりません。」とエラーメッセージを表示し、セミナー検索項目の入力処理」（Ｓ１１０１：検索項目入力）に戻る。
次に「検索結果セミナーの一覧表示」（Ｓ１１０６：セミナー一覧表示）において、入力された「セミナーＩＤ」、「セミナータイトル」、「セミナー分類」、「セミナー概要」、「講師氏名」、「資格名称」と図３の「セミナー制御・テーブル」（３１１）の該当項目と一致する全ての「セミナーＩＤ」、「講師ＩＤ」、「セミナータイトル」、「セミナー分類」、「セミナー概要」、「スポンサー受付期間」を退避する。退避された「講師ＩＤ」、「セミナーＩＤ」と一致するする図３の「アンケート・テーブル」（３３２）の「アンケート質問内容」と「アンケート結果内容」の集計値を退避する。退避された「講師ＩＤ」と一致するする図３の「業務評価・テーブル」（３３３）の「評価項目内容」と「評価結果内容」の集計値を退避する。退避された「セミナーＩＤ」、「講師ＩＤ」、「セミナータイトル」、「セミナー分類」、「セミナー概要」、「スポンサー受付期間」、「アンケート質問内容」、「アンケート結果内容」の集計値、「評価項目内容」、「評価結果内容」の集計値を一覧表示し、閲覧希望のセミナーを選択させる。
【００４８】
３−２−５：スポンサー業者用のセミナー表示
次に、選択された「セミナーＩＤ」をキーとして、図３の「セミナーテキスト・テーブル」（３１２）、「セミナー音声・テーブル」（３１３）、「セミナー動画・テーブル」（３１４）のセミナー内容を表示する。この時、退避された「セミナー制御・テーブル」（３１１）の「スポンサーＩＤ」が存在した場合は、「スポンサー契約・テーブル」（３２２）を読込み、本・処理日が「スポンサー期間」と一致する場合は、「セミナーＩＤ」、「スポンサーＩＤ」、「契約ＩＤ」と一致する図３の「広告・テーブル」（３２３）を読込み、「広告ファイル名称」の広告内容を「広告区分」に従い表示する。
セミナー表示終了後に図４の「スポンサー処理メニュー」（４２０：スポンサー処理）に戻る。
【００４９】
３−２−６：「スポンサー契約の申込処理」（４２４：スポンサー契約申込）
次に、図４の「スポンサー契約の申込処理」（４２４：スポンサー契約申込）を選択すると、図１２の「スポンサー契約申込」フローチャートが実施される。「スポンサー契約申込のセミナーＩＤ入力処理」（Ｓ１２０１：セミナーＩＤ入力）において、スポンサー契約を申し込みたい「セミナーＩＤ」入力させる。
次に、「セミナーＩＤ入力判定」（Ｓ１２０２：入力判定）において、入力された「セミナーＩＤ」をキーとして図３の「セミナー制御・テーブル」（３１１）を検索し、一致する「セミナーＩＤ」がない場合（Ｓ１２０２：ＮＧ）は、「セミナーＩＤが存在しません。」とエラーメッセージを表示し、「スポンサー契約申込のセミナーＩＤ入力処理」（Ｓ１２０１：セミナーＩＤ入力）に戻る。
次に「スポンサー契約の受付状態」(Ｓ１２０３：受付判定)において、「セミナーＩＤ」が一致した図３の「セミナー制御・テーブル」（３１１）の「スポンサー受付区分」が”ＯＦＦ”または本・処理日が「スポンサー受付期間」の範囲外の場合は、「該当セミナーはスポンサー契約を受付していません。」とエラーメッセージを表示し、「スポンサー契約申込のセミナーＩＤ入力処理」（Ｓ１２０１：セミナーＩＤ入力）に戻る。
次に、「スポンサー契約情報の入力処理」（Ｓ１２０４：契約情報入力処理）において、図３の「セミナー制御・テーブル」（３１１）の「講師ＩＤ」をキーとして図３の「プロファイル・データベース」（３０１）を読込み、「講師ＩＤ」、「講師氏名」、「資格名称」、「経歴」と図３の「セミナー制御・テーブル」（３１１）の「セミナーＩＤ」、「セミナータイトル」、「セミナー分類」、「セミナー概要」、「スポンサー受付期間」、「一般公開期間」を表示し、「契約金額」、「スポンサー期間」、「広告区分」を入力させ、「広告ファイル」をアップロードさせる。図３の「スポンサー契約・テーブル」（３２２）に対し、「セミナーＩＤ」、「スポンサーＩＤ」と本システムによる自動連番の「契約ＩＤ」と入力された「契約金額」、「スポンサー期間」を格納する。
次に、アップロードされた「広告ファイル」を本システムのファイルディレクトリーに格納し、格納場所であるファイルディレクトリーとファイル名称を「広告ファイル名称」に退避する。「広告・テーブル」（３２３）に対し、「スポンサー契約・テーブル」（３２２）の「セミナーＩＤ」、「スポンサーＩＤ」、「契約ＩＤ」と自動連番の「連番」と入力された「広告区分」と退避された「広告ファイル名称」を格納する。
次に、「セミナー講師への連絡処理」（Ｓ１２０５：講師への連絡処理）において、「セミナー制御・テーブル」（３１１）の「講師ＩＤ」をキーとして「プロファイル・データベース」（３０１）を読込、「講師メールＩＤ」に対し、“スポンサー契約の申込がありました。”、「セミナーＩＤ」、「契約金額」、「会社名」、「スポンサー期間」、「広告区分」を添付し自動メール発信を行い、図４の「スポンサー処理メニュー」（４２０：スポンサー処理）に戻る。
【００５０】
３−３：セミナー受講者処理
本・システムは、一般利用者に対し、図４の「セミナー受講処理」（４０２：セミナー受講処理）と「セミナー質問、講師への業務依頼」（４０３：セミナー質問・業務依頼）を公開している。
【００５１】
３−３−１：「セミナー受講処理」（４０２：セミナー受講処理）
次に、図４の「セミナー受講処理」（４０２：セミナー受講処理）を選択すると、図４の「スポンサー業者用のセミナー視聴」（４２３：セミナー視聴）と同様な処理内容である図１１の「セミナー検索・共通」フローチャートが実施され、受講希望のセミナーが選択される。
【００５２】
３−３−２：セミナー受講者の前処理
次に、選択されたセミナーの「セミナー制御・テーブル」（３１１）の「スポンサーＩＤ」が存在した場合は、「スポンサー契約・テーブル」（３２２）を読込み、本・処理日が「スポンサー期間」と一致する場合は、「セミナーＩＤ」、「スポンサーＩＤ」、「契約ＩＤ」と一致する「広告・テーブル」（３２３）を読込み、「広告ファイル名称」の広告内容を「広告区分」に従い表示する。
次に、セミナー受講者への前処理として、図３の「アンケート質問・テーブル」（３３４）の「アンケート区分」が“セミナー受講前アンケート”と一致するの「アンケート質問内容」を表示し、アンケート質問に対する返答の「アンケート結内容果」、「受講者氏名」、「受講者住所」、「受講者電話番号」、「受講者メールＩＤ」を入力させる。
次に、「アンケート・テーブル」（３３２）に対し、選択された「セミナーＩＤ」、「講師ＩＤ」と本・システムによる自動符番の「連番」と入力された「アンケート結内容果」、「受講者氏名」、「受講者住所」、「受講者電話番号」、「受講者メールＩＤ」と表示した「アンケート質問内容」と本・処理日の「作成日付」を格納する。
【００５３】
３−３−３：セミナー表示処理
次に、選択された「セミナーＩＤ」をキーとして、図３の「セミナーテキスト・テーブル」（３１２）、「セミナー音声・テーブル」（３１３）、「セミナー動画・テーブル」（３１４）のセミナー内容を表示する。この時、退避された「セミナー制御・テーブル」（３１１）の「スポンサーＩＤ」が存在した場合は、「スポンサー契約・テーブル」（３２２）を読込み、本・処理日が「スポンサー期間」と一致する場合は、「セミナーＩＤ」、「スポンサーＩＤ」、「契約ＩＤ」と一致する「広告・テーブル」（３２３）を読込み、「広告ファイル名称」の広告内容を「広告区分」に従い表示する。
【００５４】
３−３−４：セミナー受講者の後処理
次に、セミナー受講者への後処理として、図３の「アンケート質問・テーブル」（３３４）の「アンケート区分」が“セミナー受講後アンケート”と一致するの「アンケート質問内容」を表示し、アンケート質問に対する返答の「アンケート結内容果」、「受講者氏名」、「受講者住所」、「受講者電話番号」、「受講者メールＩＤ」を入力させる。
次に、「アンケート・テーブル」（３３２）に対し、選択された「セミナーＩＤ」、「講師ＩＤ」と本・システムによる自動符番の「連番」と入力された「アンケート結内容果」、「受講者氏名」、「受講者住所」、「受講者電話番号」、「受講者メールＩＤ」と表示した「アンケート質問内容」と本・処理日の「作成日付」を格納する。
セミナー表示終了後に図４の「メインメニュー」（４０１：スポンサー申込支援システム）に戻る。
【００５５】
３−４：「セミナー質問、講師への業務依頼」（４０３）
次に、図４の「セミナー質問、講師への業務依頼」（４０３：セミナー質問・業務依頼）を選択すると、図１３の「セミナー質問・業務依頼申込」フローチャートが実施される。「セミナー質問・業務依頼のセミナーＩＤ入力」（Ｓ１３０１：セミナーＩＤ入力）において、「セミナーＩＤ」と“セミナー質問”か“セミナー講師に対する業務依頼”かの「質問・業務依頼区分」、「受講者メールＩＤ」、「受講者氏名」、「受講者住所」、「受講者電話番号」、を入力させる。
次に、「セミナーＩＤ入力判定」（Ｓ１３０２：入力判定）において、入力された「セミナーＩＤ」をキーとして図３の「セミナー制御・テーブル」（３１１）を検索し、一致する「セミナーＩＤ」がない場合（Ｓ１３０２：ＮＧ）は、「セミナーＩＤが存在しません。」とエラーメッセージを表示し、「セミナー質問・業務依頼のセミナーＩＤ入力」（Ｓ１３０１：セミナーＩＤ入力）に戻る。
次に「質問・業務依頼の受付状態判定」(Ｓ１３０３：受付状態)において、入力された「質問・業務依頼区分」が“セミナー質問”の場合は、「セミナーＩＤ」が一致した図３の「セミナー制御・テーブル」（３１１）の「質問受付区分」が”ＯＦＦ”の場合は、「セミナー質問の受付を行っていません。」とエラーメッセージを表示し、「セミナー質問・業務依頼のセミナーＩＤ入力」（Ｓ１３０１：セミナーＩＤ入力）に戻る。
次に、入力された「質問・業務依頼区分」が“セミナー講師に対する業務依頼”の場合は、「セミナーＩＤ」が一致した図３の「セミナー制御・テーブル」（３１１）の「業務依頼受付区分」が”ＯＦＦ”の場合は、「本セミナー講師は、受託業務の受付を行っていません。」とエラーメッセージを表示し、「セミナー質問・業務依頼のセミナーＩＤ入力」（Ｓ１３０１：セミナーＩＤ入力）に戻る。
次に、「質問・依頼業務内容の入力処理」（Ｓ１３０４：内容入力処理）において、「質問・業務依頼区分」が“セミナー質問”の場合は、セミナーに対する質問内容を入力させ、「質問・依頼内容」に退避する。一方、「質問・業務依頼区分」が“セミナー講師に対する業務依頼”の場合は、セミナー講師に依頼したい業務内容や期間等を入力させ、「質問・依頼内容」に退避する。
次に、図３の「質問・依頼および返答・テーブル」（３３１）に対し、入力された「セミナーＩＤ」、「受講者メールＩＤ」、「受講者氏名」、「受講者住所」、「受講者電話番号」、「質問・業務依頼区分」、「質問・依頼内容」と本・システムによる自動符番の「連番」を格納する。
次に、「質問・依頼業務の真偽判定処理」（Ｓ１３０５：真偽判定）において、入力された「受講者メールＩＤ」に対し、“添付内容が正しければ、ＯＫ返信ボタンを押して下さい。身に覚え等がない場合等は、そのまま破棄してください。”、「セミナーＩＤ」、「受講者メールＩＤ」、「受講者氏名」、「受講者住所」、「受講者電話番号」、「質問・業務依頼区分」、「質問・依頼内容」と本メールのリターン処理が設定された「ＯＫ返信ボタン」をＨＴＭＬ形式で添付した「入力確認メール」を自動メール送信する。
次にセミナー受講者からのＯＫ返信メールを自動受信した場合は、「セミナー講師への連絡処理」（Ｓ１３０６：講師への連絡処理）へ移る。一方、ＯＫ返信メールが２４時間以内に来ない場合は、該当する図３の「質問・依頼および返答・テーブル」（３３１）を削除し、終了する。
次に、「セミナー講師への連絡処理」（Ｓ１３０６：講師への連絡処理）において、図３の「質問・依頼および返答・テーブル」（３３１）の「セミナーＩＤ」をキーとして、「セミナー制御・テーブル」（３１１）を読込、「講師ＩＤ」をキーとして「プロファイル・データベース」（３０１）を読込、「講師メールＩＤ」に対し、“セミナー受講者からのメッセージが届いています。”と「質問・依頼および返答・テーブル」（３３１）の「セミナーＩＤ」、「受講者氏名」、「質問・業務依頼区分」、「質問・業務内容」添付し自動メール発信を行う。
次に、図４の「メインメニュー」（４０１：スポンサー申込支援システム）に戻る。
【図面の簡単な説明】
【００５６】
【図１】本発明における実施形態の動作環境図である。
【図２】同実施形態のシステム全体構成図である。
【図３】同実施形態のデータベースの構成図である。
【図４】同実施形態の動作を示すメニュー遷移図である。
【図５】同実施形態におけるセミナー講師とスポンサーの登録の共通フローチャートである。
【図６】同実施形態におけるセミナー講師とスポンサーの変更登録の共通フローチャートである。
【図７】同実施形態におけるセミナー登録のフローチャートである。
【図８】同実施形態におけるスポンサー契約の締結入力のフローチャートである。
【図９】同実施形態におけるセミナー質問・業務依頼申込のフローチャートである。
【図１０】同実施形態における業務評価アンケート作成のフローチャートである。
【図１１】同実施形態におけるセミナー検索の共通フローチャートである。
【図１２】同実施形態におけるスポンサー契約申込のフローチャートである。
【図１３】同実施形態におけるセミナー質問・業務依頼申込のフローチャートである。
【図１】
2008210124.tif 000003
【図２】
2008210124.tif 000004
【図３】
2008210124.tif 000005
【図４】
2008210124.tif 000006
【図５】
2008210124.tif 000007
【図６】
2008210124.tif 000008
【図７】
2008210124.tif 000009
【図８】
2008210124.tif 000010
【図９】
2008210124.tif 000011
【図１０】
2008210124.tif 000012
【図１１】
2008210124.tif 000013
【図１２】
2008210124.tif 000014
【図１３】
2008210124.tif 000015